(57)【特許請求の範囲】
【請求項１】
珪藻土を構成する珪藻化石の複雑構造を活用して、加圧成形することのみにより珪藻土ブロックを形成し、該珪藻土ブロックと水平方向に格子状又は並列状に給水管を組み合わせて、前記珪藻土ブロック内部に給水管を埋設したことを特徴とする緑化ボード。
【請求項２】
前記珪藻土に籾殻を均一に混合分散させ、この籾殻入り珪藻土を加圧成形して籾殻入り珪藻土ブロックを形成したことを特徴とした請求項１記載の緑化ボード。
【請求項３】
前記給水管から垂直に珪藻土（籾殻を混合させた珪藻土を含む）ブロック表面へ達する注水孔を等間隔で適宜個形成したことを特徴とする請求項１又は２に記載の緑化ボード。
【請求項４】
前記珪藻土ブロックの表面にカラギーナンゲルを塗布したことを特徴とする請求項１乃至３のいずれか１項に記載の緑化ボード。
【請求項５】
前記珪藻土ブロックの表面にゼオライト砕石を敷設したことを特徴とする請求項１乃至４のいずれか１項に記載の緑化ボード。
【請求項６】
前記珪藻土ブロックの表面に植物を植栽したことを特徴とする請求項１乃至５のいずれか１項に記載の緑化ボード。
【発明の詳細な説明】
【技術分野】
【０００１】
本発明は、植物の緑化ボード、特にビルの屋上や傾斜壁面の緑化に好適な、珪藻土と籾殻を利用した緑化ボードに関する。
【背景技術】
【０００２】
従来、屋上保冷に好適であり、かつ軽量で遮光性と保冷性等を有した素材により形成され、コストの低減化やメンテナンスフリー化に優れた、保水・保冷・断熱用パネルが知られている（特許文献１を参照）。
この公知技術は、太陽光を反射させる素材を主成分として形成される遮光層と、保水性と保冷性と断熱性とを兼ね備えた素材を主成分とすると共に、保水性・保冷性・断熱性・強度性を兼ね備えた補強助剤を混入して、低蓄熱性固化剤で固化した、保水冷却断熱層とよりなる積層体であり、この積層体には、上下方向に亘って適宜吸水孔が穿設されていると共に、上下方向に亘って適宜通気孔が穿設されているものである。
しかしながら、この公知技術は、植物の植栽により保冷を行うものではないため、太陽光を反射させる素材を主成分として形成される遮光層が表面に形成され、この表面における植物の生育に対して配慮されているものではなかった。
【０００３】
また、稚内層珪藻頁岩または珪藻土の粒状物もしくは粉状物と、粒状またはチップ状とした固形物とを含んで、これらをバインダー材で固めて形成された板状物と、この板状物の一方面に保持させた植物と、を備えることを特徴とする、緑化パネルが提案されている（特許文献２を参照）。
しかしながら、上記特許文献２のものは、珪藻土の粒状物もしくは粉状物と、籾殻等の固形物を含み、加熱によって固化する樹脂系あるいはセメント系のバインダー材で固めて形成された板状物が示されているが、バインダー材で固めたことにより通水性が減少するため、給水性及び排水性の点で更に改良が望まれている。
【先行技術文献】
【特許文献】
【０００４】
【特許文献１】特開２００９−５７８１１号公報
【特許文献２】特開２００８−２２８４６号公報
【発明の概要】
【発明が解決しようとする課題】
【０００５】
本発明は、軽量・高断熱性・高耐熱性・高吸水性・高耐薬品性・高耐候性で、かつメンテナンスを極めて低減化させて植物を植栽することができる、珪藻土（有機物濾過に使用した廃棄珪藻土でも良い）と籾殻を利用した緑化ボードを提供することを目的とする。
【課題を解決するための手段】
【０００６】
本発明の珪藻土と籾殻を利用した緑化ボードは、珪藻土を加圧成型して珪藻土ブロックを形成し、該珪藻土ブロックの内部に水平方向に縦横に給水管を埋設したものである。
また、前記珪藻土として有機物濾過に使用した廃棄珪藻土を用いたことを特徴とするものである。
また、前記珪藻土（有機物濾過に使用した廃棄珪藻土でも良い）に籾殻を均一に混合分散させ、この籾殻入り珪藻土を加圧成型して籾殻入り珪藻土ブロックを形成したものである。
また、前記給水管から垂直に珪藻土（有機物濾過に使用した廃棄珪藻土でも良い）ブロックまたは籾殻入り珪藻土ブロック表面へ達する注水孔を等間隔で適宜個形成したものである。
また、前記珪藻土（廃棄珪藻土、籾殻を混合させた珪藻土または廃棄珪藻土でも良い）ブロックの表面にゼオライト砕石を敷設したものである。
また、前記珪藻土（廃棄珪藻土、籾殻を混合させた珪藻土または廃棄珪藻土でも良い）ブロックの表面にカラギーナンゲルを塗布したものである。
また、前記珪藻土（廃棄珪藻土、籾殻を混合させた珪藻土または廃棄珪藻土でも良い）ブロックの表面に植物を植栽したものである。
【発明の効果】
【０００７】
本発明の緑化ボードは、珪藻土を加圧成型して珪藻土ブロックを形成したものであるので、バインダーを用いない珪藻土の通気性と通水性に優れる特性を生かした、軽量・高断熱性・高吸水性の緑化ボードを得ることができる。
また、珪藻土自身の高耐熱性・高耐薬品性・高耐候性のため、本ボードも同性質を兼ね備えている。
更に、前記珪藻土ブロックの内部に水平方向に縦横に走る給水管を埋設したので、バインダーを用いない珪藻土の通気性と通水性に加えて、給水管を通して植物に水や液肥、あるいは殺虫剤や土壌消毒剤、蒸気等を供給することができる。
また、前記珪藻土として有機物濾過に使用した廃棄珪藻土を用いたことを特徴とするものは、時間の経過と共に含有する有機物がゆっくりとした腐敗分解をすることにより、珪藻土の細孔が復活して通水性や通気性が維持されやすい。
加えて、この有機物は、植栽した植物への肥料としての役割も果たす。
また、前記珪藻土（有機物濾過に使用した廃棄珪藻土でも良い）に籾殻を均一に混合分散させ、この籾殻入り珪藻土を加圧成型して籾殻入り珪藻土ブロックを形成したものは、比較的嵩の大きい籾殻により比重が小さな珪藻土ブロックを形成できると共に、籾殻がゆっくりとした腐敗分解をすることにより新たな空隙が生じ、通水性や通気性が維持されやすい。
また、前記給水管から垂直に珪藻土（廃棄珪藻土、籾殻を混合させた珪藻土または廃棄珪藻土でも良い）ブロック表面へ達する注水孔を等間隔で適宜個形成したものは、表面からの注水によって、注水孔周辺の必要な範囲に水、液肥、薬液、あるいは蒸気等を供給することができる。
【０００８】
また、前記珪藻土（廃棄珪藻土、籾殻を混合させた珪藻土または廃棄珪藻土でも良い）ブロックの表面に、ゼオライト砕石を敷設、またはカラギーナンゲルを塗布した緑化ボードであるので、珪藻土の粉末化や飛散を防止できる。
また、前記珪藻土（廃棄珪藻土、籾殻を混合させた珪藻土または廃棄珪藻土でも良い）ブロックの表面に植物を植栽したものであるので、そのまま緑化ボードを設置するだけで、メンテナンスを軽減化した緑化が達成される。
本発明において、加圧成型は緑化ボードを設置する際の作業性を高めるのが目的であり、設置後は現地において解砕が進んでも問題ない。これにより、不要になった際は袋等に入れて撤去でき、必要に応じて再成型、再利用が可能となる。更に珪藻土は天然素材であり、バインダーを添加していないことから、廃棄物にもなり難い。
本発明において、珪藻土を加圧成型する時に、バインダーを用いなくても高い強度の珪藻土ブロックが得られる理由は、複雑な形状の珪藻化石の破片が噛合うためで、厚さ５ｃｍ程もあれば容易に壊れることはなく、人が載っても崩れない。
本発明において、珪藻土ブロックの内部に水平方向に縦横に走る給水管を埋設するためには、そのためのスペースが必要であるが、例えば、珪藻土ブロック成型用型枠に給水管と同形状の盛り上がりを付けて、珪藻土を充填・加圧することにより、容易に得ることができる。
【０００９】
本発明において、有機物濾過に使用した廃棄珪藻土とは、食品産業に使用されているもので、年間８万トン程度の需要が有り、使用後は、その大部分が産業廃棄物として埋立処分されている。本発明は、これらを有効活用する。
本発明において籾殻は、珪藻土に均一混合して使用する。他者の発明では、これを軽量化材やバインダーとして使用されているが、本発明では、緑化ボードの空隙維持材として使用する。籾殻は丈夫で腐り難いのが問題とされているが、本発明ではこの性質を利用する。即ち、珪藻土だけで緑化ボードを作製した場合、経年使用で、薬剤滓や植物の分泌物により、細孔が目詰まりを起すが、籾殻を添加すれば、そのゆっくりとした腐敗分解により新たな空隙が供給されて、細孔構造を維持できる。
本発明において注水孔を形成するためには、給水管と同様に、成型用型枠に注水孔と同形状の盛り上がりを付けて、珪藻土を充填・加圧することにより、容易に得ることができる。
【００１０】
本発明においてゼオライト砕石は、珪藻土の舞い上がりを防ぐためのものであり、粒径１〜２ｃｍが好ましく、また、ゼオライト砕石を表面に敷設する場合、植物と植物の間隙を埋めるような方法が望ましい。一方、芝を敷き詰めるような場合、本ゼオライトの敷設は不要である。
本発明において、カラギーナンゲルは、ゼオライト同様、珪藻土の舞い上がりを防ぐための物である。本カラギーナンゲルは、乾燥に弱いため、ゼオライト砕石の下側に塗布して使用する方法が好ましい。
本発明において植栽する植物としては、芝が望ましく、ツツジのような低木にも向いている。一方、高木の場合は、それを支えるため、珪藻土ブロックの厚さも増加するので、それを支える屋根や傾斜壁面の強度を考慮する必要がある。
珪藻土ブロック表面に植物を植栽するのを容易にするには、目的の植物に応じて、表面に窪みを付ける。この窪みの作製も、成型時の型枠に、目的の植物の形状や大きさに合わせて、必要な加工をするだけで良い。
【図面の簡単な説明】
【００１１】
【図１】本発明の珪藻土（有機物濾過に使用した廃棄珪藻土でも良い）と籾殻を利用した緑化ボードの表面に飛散防止材を散布した状態の断面図である。
【図２】本発明の珪藻土（有機物濾過に使用した廃棄珪藻土でも良い）と籾殻を利用した緑化ボードに植物を植栽した状態の断面図である。
【図３】本発明の珪藻土（有機物濾過に使用した廃棄珪藻土でも良い）と籾殻を利用した緑化ボードの給水管の配管方法を上から見た様子の平面図である。
【発明を実施するための形態】
【００１２】
本発明の珪藻土と籾殻を利用した緑化ボードの一実施例を添付図面に基づいて、以下に説明する。
図１、２の断面図に示すように、本発明の珪藻土（有機物濾過に使用した廃棄珪藻土でも良い）と籾殻を利用した緑化ボードは、多孔質天然素材である珪藻土に、その廃棄処分が大きな問題となっている籾殻を均一に混合分散させ、この籾殻入り珪藻土を直方体形状に加圧成型して、籾殻入り珪藻土ブロック１を形成する（珪藻土ブロック１は珪藻土のみで作製することもできる）。
前記籾殻入り珪藻土ブロック１を成型する際には、給水管２及び注水孔３を配管する配管用スペースを確保した成型型枠を用意し、該成型型枠に籾殻入り珪藻土を充填してから加圧成型する。
成型された二枚の珪藻土ブロック１のうち一枚を上下反転させて下側に敷き、給水管２及び注水孔３を設置後に、もう一枚の珪藻土ブロック１を被せる。
一般的に、珪藻土は、乾燥すると粉末状になるが、珪藻土原土を加圧成型した物は、軽量ながら、非常に丈夫で、上に人が載っても崩れない。その一方で、保水力が非常に強く、４，５００ｃｍ３（３０ｃｍ×３０ｃｍ×５ｃｍ）のブロックで、約３リットルの水を吸水できる。
【００１３】
前記珪藻土ブロック１に使用する珪藻土は、軽量で高断熱であり、前記のようにその体積の７０％程度まで自発的に吸水し、熱や化学薬品にも強い性質を備えている。また、ほぼ純粋な二酸化珪素で構成されるため、日射、特に紫外線による劣化もなく、半永久的に使用できる。不要になった場合も、天然素材のため、廃棄物になり難い。
また、前記籾殻入り珪藻土ブロック１に使用する籾殻は、その廃棄処分が大きな問題となっている籾殻を用い、珪藻土に混入して加圧成型する際に、籾殻入り珪藻土ブロック１の運搬・施工時に必要な強度を低下させない程度の適宜分量を珪藻土（有機物濾過に使用した廃棄珪藻土でも良い）に混入する。
籾殻を利用する理由は、珪藻土原土のみを加圧成型した物を使用した場合、経年使用で薬液残渣や植物の分泌物等による目詰まりを起こすことが予想され、籾殻を均一に添加することで、籾殻入り珪藻土ブロック１内での籾殻のゆっくりとした腐敗分解により、新たな空隙が生じ、通水性と通気性が維持される。
【００１４】
図３の平面図に示すように、前記給水管２は、籾殻入り珪藻土ブロック１の内部に水平方向に縦横に埋設し、給水管２から垂直に籾殻入り珪藻土ブロック１表面へ達する注水孔３を等間隔で適宜個形成し、該注水孔３を通して植物に水や液肥、消毒剤、蒸気等を供給できるようにする。
また、前記給水管２の周面には通水孔４が形成され、効率よく均等に水や液肥、消毒剤、蒸気等を供給できるように、設置状況に合わせて、その穴の間隔と穴の大きさを決定する。
なお、前記給水管２を格子状に配置したが、これに限らず、籾殻入り珪藻土ブロック１に効率よく均等に水や液肥を供給できるものであれば、並列状でも良い。
【００１５】
本発明の珪藻土（有機物濾過に使用した廃棄珪藻土でも良い）と籾殻を利用した緑化ボードの使用操作を添付図面に基づいて、以下に説明する。
図１に示すように、建物の屋上５に通気性を持たせるための粗粒ゼオライト砕石６を敷設し、その上に水平方向に縦横に給水管２を埋設した珪藻土（有機物濾過に使用した廃棄珪藻土でも良い）ブロックまたは籾殻入り珪藻土（有機物濾過に使用した廃棄珪藻土でも良い）ブロック１を設置し、該珪藻土ブロック１の表面には珪藻土の飛散を防止するためにカラギーナンゲルを塗布し、その上にゼオライト砕石７を敷設する。
前記珪藻土ブロック１は、高吸水力と保水力でゲリラ豪雨等の雨水を一時的に貯留し、下水の急激な増水や地下街への流入を防ぎ、晴天時には貯留した雨水の蒸発で建物の冷却も行える。
【００１６】
また、図２に示すように、珪藻土（廃棄珪藻土、籾殻を混合させた珪藻土または廃棄珪藻土でも良い）ブロック１の表面に植物８を植えて珪藻土の飛散を防止した場合には、地球温暖化や都市のヒートアイランド化の進行を防ぐので最適である。
そして、前記珪藻土（廃棄珪藻土、籾殻を混合させた珪藻土または廃棄珪藻土でも良い）ブロック１の内部に水平方向に縦横に給水管２が埋設されており、水や液肥が注水孔３を通して給水管２の通水孔４から珪藻土（廃棄珪藻土、籾殻を混合させた珪藻土または廃棄珪藻土でも良い）ブロック１へ染み出し植物８に水や液肥を供給することができる。
また、病気や害虫が発生した際、その消毒に多くの手間を必要とするが、前記給水管２を通じて薬品や殺虫剤、場合によっては蒸気等を送り、容易に殺菌や害虫駆除ができる。
この時、注水孔は、等間隔で配列されているので、目的箇所に最も近い注水孔を選択でき、効率よく消毒や害虫駆除ができる。
【００１７】
本発明の珪藻土（有機物濾過に使用した廃棄珪藻土でも良い）と籾殻を利用した緑化ボードの保水力は、各建物の屋上に設置することにより、近年問題化しているゲリラ豪雨の際に、小型ダムの役割を果たし、下水道や地下街での急激な増水を防ぐ。一方、雨が止み、晴天になった際は、吸水された雨水の蒸発で屋上から熱を奪い、ビルの冷却に役立つ。
本発明の珪藻土（有機物濾過に使用した廃棄珪藻土でも良い）と籾殻を利用した緑化ボードは、軽量性で施工を容易にし、高断熱性で省エネルギーを達成する。
更に、廃棄物になり難い低環境負荷性と低メンテナンスによる優位性を有する。
【符号の説明】
【００１８】
１  珪藻土（廃棄珪藻土、籾殻を混合させた珪藻土または廃棄珪藻土でも良い）ブロック
２  給水管
３  注水孔
４  通水孔
５  屋上
６  粗粒ゼオライト砕石
７  ゼオライト砕石
８  植物
【図１】
0005397057.tif 000002
【図２】
0005397057.tif 000003
【図３】
0005397057.tif 000004